(57)【要約】【課題】  個人情報の漏洩が発生した場合に、情報の漏洩内容や漏洩場所等の追跡調査を容易に行えるようにする。【解決手段】  入力端末１０から情報参照要求を受信すると、ホストコンピュータ２０は、データベース３０から情報を抽出し入力端末１０に配信する。この場合、ホストコンピュータ２０は、入力端末１０から受信した認証データに基づいてユーザ認証するとともに、アクセス情報を特定する。また、ホストコンピュータ２０は、ログ取得モジュール２１に従って処理を実行し、アクセス情報をリンクさせたジャーナルデータ２２を生成する。また、ホストコンピュータ２０は、アクセスログ生成プログラム２３に従って処理を実行し、ジャーナルデータ２２に基づいてアクセスログ２４を生成する。そして、ホストコンピュータ２０は、生成したアクセスログ２４を、磁気テープ装置等に所定期間蓄積する。【選択図】  図１
2007065859.tif 000002
【特許請求の範囲】
【請求項１】
ユーザ端末からのアクセス要求に応じて、情報へのアクセスが行われた際のアクセス履歴を示す履歴情報を生成する履歴情報生成手段と、
該履歴情報生成手段が生成した履歴情報に基づいて、情報にアクセスしたユーザの属性を示すユーザ属性情報、及びアクセスされた情報の属性を示すアクセス情報属性情報を含むアクセスログを生成するログ生成手段とを備え、
前記履歴情報生成手段は、ユーザ属性情報及びアクセス情報属性情報をリンクさせた履歴情報を生成する、ことを特徴とするアクセスログ取得システム。
【請求項２】
履歴情報生成手段は、ユーザ属性情報及びアクセス情報属性情報を、所定のデータフォーマットに従ってファイルに書き込むことによって、ユーザ属性情報及びアクセス情報属性情報をリンクさせた履歴情報を生成する、ことを特徴とする請求項１に記載のアクセスログ取得システム。
【請求項３】
ログ生成手段は、所定のデータフォーマットに従って生成された履歴情報の所定の箇所からユーザ属性情報及びアクセス情報属性情報を抽出し、抽出したユーザ属性情報及びアクセス情報属性情報を含むアクセスログを生成する、ことを特徴とする請求項２に記載のアクセスログ取得システム。
【請求項４】
情報を予め蓄積する情報蓄積手段と、
ユーザ端末からの要求に応じて、前記情報蓄積手段から情報を抽出する情報抽出手段と、
前記情報抽出手段が抽出した情報を、通信ネットワークを介して前記ユーザ端末に送信する情報配信手段とを備え、
履歴情報生成手段は、前記情報配信手段がユーザ端末に情報を配信すると、情報配信を行った際のアクセス履歴を示す履歴情報を生成する、ことを特徴とする請求項１乃至３のいずれか１項に記載のアクセスログ取得システム。
【請求項５】
ユーザ端末から受信した認証データに基づいて、ユーザを認証するユーザ認証手段を備え、
履歴情報生成手段は、前記認証データに基づいてユーザ属性情報を特定し、前記特定したユーザ属性情報をリンクさせた履歴情報を生成する、ことを特徴とする請求項１乃至４のいずれか１項に記載のアクセスログ取得システム。
【請求項６】
ログ生成手段が生成したアクセスログを蓄積するログ蓄積手段を備えた、ことを特徴とする請求項１乃至５のいずれか１項に記載のアクセスログ取得システム。
【請求項７】
情報を蓄積する情報蓄積システムと、
センタサーバとを備え、
前記情報蓄積システムは、
ユーザ端末からのアクセス要求に応じて、情報へのアクセスが行われた際のアクセス履歴を示す履歴情報を生成する履歴情報生成手段と、
前記履歴情報生成手段が生成した履歴情報に基づいて、情報にアクセスしたユーザの属性を示すユーザ属性情報、及びアクセスされた情報の属性を示すアクセス情報属性情報を含むアクセスログを生成するログ生成手段と、
前記ログ生成手段が生成したアクセスログを、通信ネットワークを介して前記センタサーバに送信するログ転送手段とを含み、
前記履歴情報生成手段は、ユーザ属性情報及びアクセス情報属性情報をリンクさせた履歴情報を生成し、
前記センタサーバは、前記情報蓄積システムから受信したアクセスログを蓄積するログデータベースを含む、ことを特徴とするアクセスログ取得システム。
【請求項８】
情報を蓄積する情報蓄積サーバと、
前記情報蓄積システムに蓄積される情報にアクセスされた際のアクセスログを生成するアクセスログ生成システムとを備え、
前記情報蓄積サーバは、
ユーザ端末からのアクセス要求に応じて、情報へのアクセスが行われた際のアクセス履歴を示す履歴情報を生成する履歴情報生成手段と、
前記履歴情報生成手段が生成した履歴情報を、通信ネットワークを介して前記アクセスログ生成システムに送信する履歴情報転送手段とを含み、
前記履歴情報生成手段は、情報にアクセスしたユーザの属性を示すユーザ属性情報、及びアクセスされた情報の属性を示すアクセス情報属性情報をリンクさせた履歴情報を生成し、
前記アクセスログ生成システムは、前記情報蓄積サーバから受信した履歴情報に基づいて、ユーザ属性情報及びアクセス情報属性情報を含むアクセスログを生成するログ生成手段を含む、ことを特徴とするアクセスログ取得システム。
【請求項９】
アクセスログ生成システムは、ログ生成手段が生成したアクセスログを蓄積するログ蓄積手段を含む、ことを特徴とする請求項８に記載のアクセスログ取得システム。
【請求項１０】
センタサーバを備え、
アクセスログ生成システムは、ログ生成手段が生成したアクセスログを、通信ネットワークを介して前記センタサーバに送信するログ転送手段を含み、
前記センタサーバは、前記情報蓄積サーバから受信したアクセスログを蓄積するログデータベースを含む、ことを特徴とする請求項８又は９に記載のアクセスログ取得システム。
【請求項１１】
ユーザ端末からの要求に応じて営業情報を提供する営業システムであって、
営業情報を予め蓄積する情報蓄積手段と、
ユーザ端末からの要求に応じて、前記情報蓄積手段から営業情報を抽出する情報抽出手段と、
前記情報抽出手段が抽出した営業情報を、通信ネットワークを介して前記ユーザ端末に送信する情報配信手段と、
前記情報配信手段がユーザ端末に情報を配信すると、情報配信を行った際のアクセス履歴を示す履歴情報を生成する履歴情報生成手段と、
前記履歴情報生成手段が生成した履歴情報に基づいて、情報にアクセスしたユーザの属性を示すユーザ属性情報、及びアクセスされた情報の属性を示すアクセス情報属性情報を含むアクセスログを生成するログ生成手段とを備え、
前記履歴情報生成手段は、ユーザ属性情報及びアクセス情報属性情報をリンクさせた履歴情報を生成する、ことを特徴とする営業システム。
【請求項１２】
ユーザ端末からのアクセス要求に応じて、情報へのアクセスが行われた際のアクセス履歴を示す履歴情報を生成する履歴情報生成手段と、
前記履歴情報生成手段が生成した履歴情報に基づいて、情報にアクセスしたユーザの属性を示すユーザ属性情報、及びアクセスされた情報の属性を示すアクセス情報属性情報を含むアクセスログを生成するログ生成手段とを備え、
前記履歴情報生成手段は、ユーザ属性情報及びアクセス情報属性情報をリンクさせた履歴情報を生成する、ことを特徴とするアクセスログ取得装置。
【請求項１３】
情報を蓄積する情報蓄積システムが、ユーザ端末からのアクセス要求に応じて、情報にアクセスしたユーザの属性を示すユーザ属性情報、及びアクセスされた情報の属性を示すアクセス情報属性情報をリンクさせて、情報へのアクセスが行われた際のアクセス履歴を示す履歴情報を生成する履歴情報生成ステップと、
前記情報蓄積システムが、生成した前記履歴情報に基づいて、ユーザ属性情報及びアクセス情報属性情報を含むアクセスログを生成するログ生成ステップとを含む、ことを特徴とするアクセスログ取得方法。
【請求項１４】
情報蓄積システムが、履歴情報生成ステップで、ユーザ属性情報及びアクセス情報属性情報を、所定のデータフォーマットに従ってファイルに書き込むことによって、ユーザ属性情報及びアクセス情報属性情報をリンクさせた履歴情報を生成し、
前記情報蓄積システムが、ログ生成ステップで、所定のデータフォーマットに従って生成された履歴情報の所定の箇所からユーザ属性情報及びアクセス情報属性情報を抽出し、抽出したユーザ属性情報及びアクセス情報属性情報を含むアクセスログを生成する、ことを特徴とする請求項１３に記載のアクセスログ取得方法。
【請求項１５】
コンピュータに、
ユーザ端末からのアクセス要求に応じて、情報にアクセスしたユーザの属性を示すユーザ属性情報、及びアクセスされた情報の属性を示すアクセス情報属性情報をリンクさせて、情報へのアクセスが行われた際のアクセス履歴を示す履歴情報を生成する処理と、
生成した前記履歴情報に基づいて、ユーザ属性情報及びアクセス情報属性情報を含むアクセスログを生成する処理と、を実行させることを特徴とするアクセスログ取得プログラム。
【発明の詳細な説明】
【技術分野】
【０００１】
本発明は、情報参照が行われる際に誰がどのような方法で情報にアクセスしたかを記録したアクセスログを取得するアクセスログ取得システム、アクセスログ取得装置、アクセスログ取得方法及びアクセスログ取得プログラムに関する。また、本発明は、アクセスログ取得方法を用いた営業システムに関する。
【背景技術】
【０００２】
営業システム等において、データベースに蓄積されている情報へのアクセスが行われる場合に、顧客の個人情報等を含む情報が参照（例えば、情報検索や情報配信）されることがある。この場合、個人情報保護等の観点から、誰がどのような方法で情報にアクセスしたかを示す履歴情報を取得できるようにすることが望ましい。
【０００３】
例えば、情報システムにおいては、一般に、システム変更や通信記録等の各種履歴をジャーナルと呼ばれる履歴情報として記録することが行われている。また、例えば、特許文献１には、ユーザによる情報へのアクセス履歴を来歴データとして記憶し管理する情報管理システムが記載されている。
【特許文献１】特開２００４−１７８１１９号公報
【発明の開示】
【発明が解決しようとする課題】
【０００４】
個人情報の漏洩等が発生した場合に、記録したジャーナルや特許文献１に記載された来歴データ等を用いて、情報の漏洩内容や漏洩場所等を追跡調査することが行われている。しかし、ジャーナル等の履歴情報は、一般に、ＣＰＵへのアクセス（プログラムの実行や情報へのアクセス）が行われる際にやりとりされるデータをそのまま羅列することによって作成される。そのため、履歴情報に含まれるデータのデータ量が大きく、情報の漏洩内容や漏洩場所等を追跡調査する際のサーバの処理負担が大きく、処理に時間がかかる。
【０００５】
また、ジャーナル等の履歴情報は一定のフォーマットにより作成されていないので、ジャーナル等の履歴情報のどの部分に漏洩内容や漏洩場所等を示すアクセス情報が含まれているかを判断するのが難しい。そのため、履歴情報からアクセス情報を抽出する際のサーバの処理負担が大きく、処理に時間がかかる。また、追跡調査を容易に行うことができないので、個人情報の取り扱いについての牽制効果が制限されてしまう。
【０００６】
そこで、本発明は、個人情報の漏洩が発生した場合に、情報の漏洩内容や漏洩場所等の追跡調査を容易に行うことができるアクセスログ取得システム、営業システム、アクセスログ取得装置、アクセスログ取得方法、及びアクセスログ取得プログラムを提供することを目的とする。
【課題を解決するための手段】
【０００７】
本発明によるアクセスログ取得システムは、ユーザ端末（例えば、入力端末１０）からのアクセス要求に応じて、情報へのアクセスが行われた際のアクセス履歴を示す履歴情報（例えば、ジャーナルデータ２２）を生成する履歴情報生成手段（例えば、ログ取得モジュール２１に従って動作するホストコンピュータ２０のＣＰＵによって実現される）と、履歴情報生成手段が生成した履歴情報に基づいて、情報にアクセスしたユーザの属性を示すユーザ属性情報（例えば、ユーザＩＤ）、及びアクセスされた情報の属性を示すアクセス情報属性情報（例えば、顧客名や電話番号、口座番号、住所等の個人情報）を含むアクセスログ（例えば、アクセスログ２４）を生成するログ生成手段（例えば、アクセスログ生成プログラム２３に従って動作するホストコンピュータ２０のＣＰＵによって実現される）とを備え、履歴情報生成手段は、ユーザ属性情報及びアクセス情報属性情報をリンクさせた履歴情報を生成することを特徴とする。
【０００８】
また、アクセスログ取得システムにおいて、履歴情報生成手段は、ユーザ属性情報及びアクセス情報属性情報を、所定のデータフォーマットに従ってファイルに書き込むことによって、ユーザ属性情報及びアクセス情報属性情報をリンクさせた履歴情報を生成するものであってもよい。
【０００９】
また、アクセスログ取得システムにおいて、ログ生成手段は、所定のデータフォーマットに従って生成された履歴情報の所定の箇所（例えば、ジャーナルデータ２２のデータセット中の所定のプログラム名を示すデータの箇所から３０バイト目）からユーザ属性情報及びアクセス情報属性情報を抽出し、抽出したユーザ属性情報及びアクセス情報属性情報を含むアクセスログを生成するものであってもよい。
【００１０】
また、アクセスログ取得システムは、情報を予め蓄積する情報蓄積手段（例えば、データベース３０によって実現される）と、ユーザ端末からの要求に応じて、情報蓄積手段から情報を抽出する情報抽出手段（例えば、プログラムに従って動作するホストコンピュータ２０のＣＰＵによって実現される）と、情報抽出手段が抽出した情報を、通信ネットワークを介してユーザ端末に送信する情報配信手段（例えば、プログラムに従って動作するホストコンピュータ２０のＣＰＵ及びネットワークインタフェース部によって実現される）とを備え、履歴情報生成手段は、情報配信手段がユーザ端末に情報を配信すると、情報配信を行った際のアクセス履歴を示す履歴情報を生成するものであってもよい。
【００１１】
また、アクセスログ取得システムは、ユーザ端末から受信した認証データ（例えば、ユーザＩＤやパスワード）に基づいて、ユーザを認証するユーザ認証手段を備え、履歴情報生成手段は、認証データに基づいてユーザ属性情報を特定し、特定したユーザ属性情報をリンクさせた履歴情報を生成するものであってもよい。
【００１２】
また、アクセスログ取得システムは、ログ生成手段が生成したアクセスログを蓄積するログ蓄積手段（例えば、磁気テープ装置２８，２８Ｂによって実現される）を備えたものであってもよい。
【００１３】
また、アクセスログ取得システムは、情報を蓄積する情報蓄積システム（例えば、ホスト系オンラインシステム２０Ａ）と、センタサーバ（例えば、センタサーバ４０）とを備え、情報蓄積システムは、ユーザ端末からのアクセス要求に応じて、情報へのアクセスが行われた際のアクセス履歴を示す履歴情報を生成する履歴情報生成手段（例えば、ログ取得モジュール２１Ａに従って動作する情報処理装置のＣＰＵによって実現される）と、履歴情報生成手段が生成した履歴情報に基づいて、情報にアクセスしたユーザの属性を示すユーザ属性情報、及びアクセスされた情報の属性を示すアクセス情報属性情報を含むアクセスログを生成するログ生成手段（例えば、ログ編集処理手段２３Ａによって実現される）と、ログ生成手段が生成したアクセスログを、通信ネットワークを介してセンタサーバに送信するログ転送手段（例えば、ファイル転送処理手段２７によって実現される）とを含み、履歴情報生成手段は、ユーザ属性情報及びアクセス情報属性情報をリンクさせた履歴情報を生成し、センタサーバは、情報蓄積システムから受信したアクセスログを蓄積するログデータベース（例えば、ログデータベース４１）を含むものであってもよい。
【００１４】
また、アクセスログ取得システムは、情報を蓄積する情報蓄積サーバ（例えば、営業情報配信サーバ５０）と、情報蓄積システムに蓄積される情報にアクセスされた際のアクセスログを生成するアクセスログ生成システム（例えば、ホスト系オンラインシステム２０Ｂ）とを備え、情報蓄積サーバは、ユーザ端末からのアクセス要求に応じて、情報へのアクセスが行われた際のアクセス履歴を示す履歴情報を生成する履歴情報生成手段（例えば、ログ取得モジュール５１に従って動作する営業情報配信サーバ５０のＣＰＵによって実現される）と、履歴情報生成手段が生成した履歴情報を、通信ネットワークを介してアクセスログ生成システムに送信する履歴情報転送手段（例えば、ファイル転送手段５７によって実現される）とを含み、履歴情報生成手段は、情報にアクセスしたユーザの属性を示すユーザ属性情報、及びアクセスされた情報の属性を示すアクセス情報属性情報をリンクさせた履歴情報を生成し、アクセスログ生成システムは、情報蓄積サーバから受信した履歴情報に基づいて、ユーザ属性情報及びアクセス情報属性情報を含むアクセスログを生成するログ生成手段（例えば、ログ編集処理手段２３Ｂによって実現される）を含むものであってもよい。
【００１５】
また、アクセスログ取得システムにおいて、アクセスログ生成システムは、ログ生成手段が生成したアクセスログを蓄積するログ蓄積手段（例えば、磁気テープ装置２８Ｂによって実現される）を含むものであってもよい。
【００１６】
また、アクセスログ取得システムは、センタサーバ（例えば、センタサーバ４０Ｂ）を備え、アクセスログ生成システムは、ログ生成手段が生成したアクセスログを、通信ネットワークを介してセンタサーバに送信するログ転送手段（例えば、ファイル転送処理手段２７Ｂによって実現される）を含み、センタサーバは、情報蓄積サーバから受信したアクセスログを蓄積するログデータベース（例えば、ログデータベース４１Ｂ）を含むものであってもよい。
【００１７】
本発明による営業システムは、ユーザ端末からの要求に応じて営業情報を提供する営業システムであって、営業情報を予め蓄積する情報蓄積手段と、ユーザ端末からの要求に応じて、情報蓄積手段から営業情報を抽出する情報抽出手段と、情報抽出手段が抽出した営業情報を、通信ネットワークを介してユーザ端末に送信する情報配信手段と、情報配信手段がユーザ端末に情報を配信すると、情報配信を行った際のアクセス履歴を示す履歴情報を生成する履歴情報生成手段と、履歴情報生成手段が生成した履歴情報に基づいて、情報にアクセスしたユーザの属性を示すユーザ属性情報、及びアクセスされた情報の属性を示すアクセス情報属性情報を含むアクセスログを生成するログ生成手段とを備え、履歴情報生成手段は、ユーザ属性情報及びアクセス情報属性情報をリンクさせた履歴情報を生成することを特徴とする。
【００１８】
本発明によるアクセスログ取得装置（例えば、ホストコンピュータ２０）は、ユーザ端末からのアクセス要求に応じて、情報へのアクセスが行われた際のアクセス履歴を示す履歴情報を生成する履歴情報生成手段と、履歴情報生成手段が生成した履歴情報に基づいて、情報にアクセスしたユーザの属性を示すユーザ属性情報、及びアクセスされた情報の属性を示すアクセス情報属性情報を含むアクセスログを生成するログ生成手段とを備え、履歴情報生成手段は、ユーザ属性情報及びアクセス情報属性情報をリンクさせた履歴情報を生成することを特徴とする。
【００１９】
本発明によるアクセスログ取得方法は、情報を蓄積する情報蓄積システムが、ユーザ端末からのアクセス要求に応じて、情報にアクセスしたユーザの属性を示すユーザ属性情報、及びアクセスされた情報の属性を示すアクセス情報属性情報をリンクさせて、情報へのアクセスが行われた際のアクセス履歴を示す履歴情報を生成する履歴情報生成ステップと、情報蓄積システムが、生成した履歴情報に基づいて、ユーザ属性情報及びアクセス情報属性情報を含むアクセスログを生成するログ生成ステップとを含むことを特徴とする。
【００２０】
また、アクセスログ取得方法は、情報蓄積システムが、履歴情報生成ステップで、ユーザ属性情報及びアクセス情報属性情報を、所定のデータフォーマットに従ってファイルに書き込むことによって、ユーザ属性情報及びアクセス情報属性情報をリンクさせた履歴情報を生成し、情報蓄積システムが、ログ生成ステップで、所定のデータフォーマットに従って生成された履歴情報の所定の箇所からユーザ属性情報及びアクセス情報属性情報を抽出し、抽出したユーザ属性情報及びアクセス情報属性情報を含むアクセスログを生成するものであってもよい。
【００２１】
本発明によるアクセスログ取得プログラムは、コンピュータに、ユーザ端末からのアクセス要求に応じて、情報にアクセスしたユーザの属性を示すユーザ属性情報、及びアクセスされた情報の属性を示すアクセス情報属性情報をリンクさせて、情報へのアクセスが行われた際のアクセス履歴を示す履歴情報を生成する処理と、生成した履歴情報に基づいて、ユーザ属性情報及びアクセス情報属性情報を含むアクセスログを生成する処理とを実行させることを特徴とする。
【発明の効果】
【００２２】
本発明によれば、ユーザ属性情報やアクセス情報属性情報をリンクさせた履歴情報を生成するので、ユーザ属性情報やアクセス情報属性情報を含むアクセスログを容易に生成することができる。また、生成したアクセスログを用いて、情報にアクセスしたユーザや、アクセスされた情報を容易に追跡調査することができる。従って、個人情報の漏洩が発生した場合に、情報の漏洩内容や漏洩場所等の追跡調査を容易に行うことができるようにすることができる。
【００２３】
また、本発明において、ユーザ属性情報及びアクセス情報属性情報を所定のデータフォーマットに従ってファイルに書き込むことによって履歴情報を生成するように構成すれば、ユーザ属性情報及びアクセス情報属性情報をリンクさせた履歴情報を容易に生成することができる。
【００２４】
また、本発明において、所定のデータフォーマットに従って生成された履歴情報の所定の箇所からユーザ属性情報及びアクセス情報属性情報を抽出するように構成すれば、ユーザ属性情報及びアクセス情報属性情報を容易に抽出しアクセスログを生成することができる。
【００２５】
また、本発明において、ユーザ認証に用いる認証データに基づいてユーザ属性情報を特定するように構成すれば、ユーザ認証の際にユーザ端末から取得した認証データを用いて容易にユーザ属性情報を取得することができる。
【００２６】
また、本発明において、生成したアクセスログをセンタサーバに転送し、センタサーバがアクセスログをデータベースに蓄積するように構成すれば、情報蓄積システムやサーバが複数ある場合であっても、センタサーバでアクセスログを一括して管理することができる。
【００２７】
また、本発明において、生成した履歴情報をアクセスログ生成システムに転送し、アクセスログ生成システムが履歴情報に基づいてアクセスログを生成するように構成すれば、情報蓄積システムやサーバが複数ある場合であっても、アクセスログ生成システムでアクセスログを一括して生成することができる。
【発明を実施するための最良の形態】
【００２８】
［実施の形態１］
以下、本発明の第１の実施の形態を図面を参照して説明する。図１は、本発明によるアクセスログ取得システムの構成の一例を示すブロック図である。図１に示すように、アクセスログ取得システムは、入力端末１０、ホストコンピュータ２０及びデータベース３０を含む。また、入力端末１０とホストコンピュータ２０とは、例えばインターネット等の通信ネットワークを介して接続される。なお、アクセスログ取得システムは、例えば、データベース３０に蓄積される営業情報を検索又は配信する営業システムの用途に適用される。
【００２９】
入力端末１０は、具体的には、プログラムに従って動作するパーソナルコンピュータ等の情報処理端末によって実現される。例えば、営業システムの用途に用いる場合、入力端末１０は、企業の営業所等に設置され、販売員等によって用いられる。なお、図１では、１つの入力端末１０を示しているが、アクセスログ取得システムは、複数の入力端末１０を含む。
【００３０】
入力端末１０は、ユーザ（販売員等）の操作に従って、情報へのアクセス要求（情報参照要求）を、通信ネットワークを介してホストコンピュータ２０に送信する機能を備える。また、入力端末１０は、ホストコンピュータ２０から受信した各種情報を、ディスプレイ装置等の表示装置に表示する機能を備える。
【００３１】
データベース３０は、具体的には、磁気ディスク装置や光ディスク装置等のデータベース装置によって実現される。データベース３０は、アクセス対象となりうる各種情報を予め蓄積する。例えば、各種営業情報を管理する情報センタに設置され、アクセス対象となり得る各種営業情報を予め蓄積する。
【００３２】
ホストコンピュータ２０は、具体的には、プログラムに従って動作するワークステーションサーバやパーソナルコンピュータ等の情報処理装置によって実現される。例えば、ホストコンピュータ２０は、各種営業情報を管理する情報センタに設置されるデータベースサーバである。
【００３３】
ホストコンピュータ２０は、入力端末１０からの情報参照要求に応じて、参照要求された情報をデータベース３０から抽出する機能を備える。また、ホストコンピュータ２０は、抽出した情報を、通信ネットワークを介して入力端末１０に送信する機能を備える。またホストコンピュータ２０は、参照要求された情報を抽出する際に、入力端末１０から受信した認証データ（ユーザＩＤやパスワード）に基づいて、ユーザを認証する機能を備える。
【００３４】
また、ホストコンピュータ２０は、図１に示すように、参照要求された情報を配信する際に、参照要求された情報に関するログを取得してジャーナルデータ２２を生成するログ取得モジュール２１を搭載する。ホストコンピュータ２０は、ログ取得モジュール２１に従って処理を実行することによって、参照要求された情報を配信する際に、参照要求された情報に関するログを取得して、ジャーナルを生成する機能を備える。本実施の形態では、ホストコンピュータ２０は、情報へのアクセスが行われた際のアクセス履歴を示す履歴情報としてジャーナルを生成する。
【００３５】
本実施の形態では、ホストコンピュータ２０は、参照要求された情報を配信する際の各種履歴を、予め定めたフォーマットのデータセットに出力することによって、ジャーナルデータ２２を生成する。この場合、ホストコンピュータ２０は、情報参照要求したユーザ名や参照された情報等を示すアクセス情報を、データセットの所定の箇所に書き込み、アクセス情報をリンクさせたジャーナルデータ２２を作成する。
【００３６】
また、ホストコンピュータ２０は、図１に示すように、ジャーナルデータ２２からアクセス情報を抽出してアクセスログ２４を生成するアクセスログ生成プログラム２３を搭載する。ホストコンピュータ２０は、アクセスログ生成プログラム２３に従って処理を実行することによって、ジャーナルデータ２２からアクセス情報を抽出して、アクセスログ２４を生成する機能を備える。本実施の形態では、ホストコンピュータ２０は、情報にアクセスしたユーザの属性（例えば、ユーザ名やアドレス情報）を示すユーザ属性情報、及びアクセスされた情報の属性（例えば、情報に含まれる個人名や電話番号、住所）を示すアクセス情報属性情報を含むアクセスログ２４を生成する。
【００３７】
また、本実施の形態において、ホストコンピュータ２０の記憶装置（図示せず）は、アクセスログを取得するための各種プログラムを記憶している。例えば、ホストコンピュータ２０の記憶装置は、コンピュータに、ユーザ端末からのアクセス要求に応じて、情報にアクセスしたユーザの属性を示すユーザ属性情報、及びアクセスされた情報の属性を示すアクセス情報属性情報をリンクさせて、情報へのアクセスが行われた際のアクセス履歴を示す履歴情報を生成する処理と、生成した履歴情報に基づいて、ユーザ属性情報及びアクセス情報属性情報を含むアクセスログを生成する処理とを実行させるアクセスログ取得プログラムを記憶している。なお、本実施の形態では、アクセスログ取得プログラムは、ログ取得モジュール２１及びアクセスログ生成プログラム２３によって実現される。
【００３８】
次に、動作について説明する。図２は、入力端末１０から情報参照要求された場合に、アクセス情報をリンクさせたジャーナルデータ２２を生成し、アクセスログ２４を生成する処理の一例を示す流れ図である。ユーザは、営業情報等の各種情報を参照したい場合、入力端末１０を操作して、情報参照要求を送信指示する。入力端末１０は、ユーザの操作に従って、情報参照要求を、通信ネットワークを介してホストコンピュータ２０に送信する。
【００３９】
ホストコンピュータ２０は、情報参照要求を受信すると、認証データの送信要求を、通信ネットワークを介して入力端末１０に送信する（ステップＳ１０１）。すると、入力端末１０は、受信した送信要求に従って、ユーザＩＤやパスワード等の認証データを入力する入力画面を表示する。入力端末１０は、ユーザの入力操作に従って、認証データを入力する。そして、入力端末１０は、入力した認証データを、通信ネットワークを介してホストコンピュータ２０に送信する。
【００４０】
ホストコンピュータ２０は、受信した認証データに基づいて、ユーザを認証する（ステップＳ１０２）。ユーザの認証に成功すると、ホストコンピュータ２０は、参照要求された情報をデータベース３０から抽出する。そして、ホストコンピュータ２０は、抽出した情報を、通信ネットワークを介して入力端末１０に送信する（ステップＳ１０３）。入力端末１０は、受信した情報をディスプレイ装置等の表示装置に表示する。ユーザは、入力端末１０の表示画面を見ることによって、参照要求した情報を見ることができる。
【００４１】
なお、ステップＳ１０２でユーザの認証に失敗した場合には、例えば、ホストコンピュータ２０は、認証に失敗した旨を示す通知情報を、通信ネットワークを介して入力端末１０に送信する。そして、入力端末１０は、認証に失敗した旨を表示し、ユーザに認証データの再入力を促す。
【００４２】
また、ホストコンピュータ２０は、ログ取得モジュール２１に従って処理を実行し、ジャーナルデータ２２を生成する。この場合、ホストコンピュータ２０は、入力端末１０に配信され画面表示される項目のうち、アクセスログ出力対象項目（アクセス情報）を、所定のレイアウトでジャーナルデータセットに出力し、ジャーナルデータ２２を生成する（ステップＳ１０４）。すなわち、ホストコンピュータ２０は、アクセス情報を所定のデータフォーマットに従ってファイルに書き込むことによって、アクセス情報をリンクさせたジャーナルデータ２２を生成する。
【００４３】
本実施の形態では、例えば、ホストコンピュータ２０は、入力端末１０から受信した認証データに基づいてユーザＩＤを特定する。そして、ホストコンピュータ２０は、特定したユーザＩＤを含むジャーナルデータ２２を生成する。また、ホストコンピュータ２０は、アクセス情報として、参照要求された情報に含まれる顧客の顧客名や電話番号、口座番号、住所等の個人情報を抽出する。そして、ホストコンピュータ２０は、抽出した個人情報を所定のレイアウトに従ってデータセットに書き込み、アクセス情報をリンクさせたジャーナルデータ２２を生成する。
【００４４】
図３は、ホストコンピュータ２０が生成するジャーナルデータ２２の例を示す説明図である。ホストコンピュータ２０は、図３に示すように、編集した項目（アクセス情報）を、データセット中の所定のプログラム名を示すデータの箇所の後の３０バイト目から書き込むことによって、アクセス情報をリンクさせたジャーナルデータ２２を生成する。
【００４５】
また、ホストコンピュータ２０は、ジャーナルデータ２２を生成すると、生成したジャーナルデータ２２をデータベースに記憶させる。例えば、ホストコンピュータ２０は、履歴情報を蓄積する履歴データベースを備え、生成したジャーナルデータ２２を履歴データベースに記憶させる。
【００４６】
また、ホストコンピュータ２０は、アクセスログ生成プログラム２３に従って処理を実行し、ジャーナルデータ２２に基づいてアクセスログ２４を生成する。この場合、ホストコンピュータ２０は、ジャーナルデータセットの所定部分からアクセス情報を抽出してファイルとして出力し、アクセスログ２４を生成する（ステップＳ１０５）。すなわち、ホストコンピュータ２０は、所定のデータフォーマットに従って生成されたジャーナルデータ２２の所定の箇所からアクセス情報を抽出し、抽出したアクセス情報を含むアクセスログ２４を生成する。
【００４７】
また、アクセスログ２４の生成の際に、ホストコンピュータ２０は、ジャーナルデータ２２に含まれるユーザＩＤに基づいて、参照要求したユーザのユーザ名やアドレス等のユーザ情報を特定してもよい。この場合、例えば、ホストコンピュータ２０は、予めユーザ名やアドレスをユーザＩＤに対応づけて記憶するデータベースを備える。そして、ホストコンピュータ２０は、ユーザＩＤに基づいて、参照要求したユーザのユーザ名やアドレス等のユーザ情報を、データベースから抽出する。そして、ホストコンピュータ２０は、抽出したユーザ情報をリンクさせたアクセスログ２４を生成する。なお、ホストコンピュータ２０は、アクセスログ２４の生成の際ではなく、アクセスログ２４から更にログを抽出する際に、ユーザ情報をリンクさせてログを抽出するようにしてもよい。
【００４８】
図４は、ホストコンピュータ２０が生成するアクセスログ２４の例を示す説明図である。例えば、図３に示すジャーナルデータ２２中に、所定のプログラム名を示すデータの箇所の後の３０バイト目から所定データ長（例えば１００バイト）のアクセス情報が含まれるとする。この場合、ホストコンピュータ２０は、図３に示すジャーナルデータ２２中の所定のプログラム名を示すデータの箇所の後の３０バイト目から所定データ長のアクセス情報を抽出する。本実施の形態では、アクセス情報が予め定められた形式でジャーナルデータ２２中に書き込まれているので、ホストコンピュータ２０は、ジャーナルデータ２２からアクセス情報を容易に抽出することができる。そして、ホストコンピュータ２０は、抽出したアクセス情報を含むアクセスログ２４を生成する。
【００４９】
また、ホストコンピュータ２０は、生成したアクセスログ２４を出力する（ステップＳ１０６）。例えば、ホストコンピュータ２０は、ログを蓄積する磁気テープ装置等のログデータベースを備え、生成したアクセスログ２４をログデータベースに記憶させる。また、例えば、ホストコンピュータ２０は、情報センタが蓄積するデータをバックアップするバックアップセンタに設置されるセンタサーバに、生成したアクセスログ２４を通信ネットワークを介して送信する。
【００５０】
以上のように、本実施の形態によれば、ホストコンピュータ２０は、ログ取得モジュール２１を用いて、情報にアクセスしたユーザのユーザ名やアドレス、及び参照情報に含まれる個人情報等のアクセス情報をリンクさせて、ジャーナルデータ２２を生成する。そして、ホストコンピュータ２０は、アクセスログ生成プログラム２３を用いて、ジャーナルデータ２２に基づいてアクセスログ２４を生成する。アクセス情報をリンクさせたジャーナルデータ２２を生成するので、情報にアクセスしたユーザ情報や参照情報に含まれる個人情報を含むアクセスログ２４を容易に生成することができる。また、生成したアクセスログ２４を用いて、情報にアクセスしたユーザや、参照された個人情報を容易に追跡調査することができる。従って、個人情報の漏洩が発生した場合に、情報の漏洩内容や漏洩場所等の追跡調査を容易に行うことができるようにすることができる。
【００５１】
また、本実施の形態によれば、既存システムが履歴情報として生成するジャーナルにアクセス情報をリンクさせるので、既存システムの最小限の設計変更やプログラム変更を行うだけでアクセスログ取得システムを実現することができる。従って、既存システムの最小限の変更によって、アクセス情報を含むアクセスログ２４を容易に生成することができ、情報にアクセスしたユーザや、アクセスされた情報を容易に追跡調査することができる。
【００５２】
［実施の形態２］
次に、本発明の第２の実施の形態を図面を参照して説明する。図５は、アクセスログ取得システムの他の構成例を示すブロック図である。なお、図５に示すアクセスログ取得システムは、第１の実施の形態で示したアクセスログ取得システムを具体化したものに相当する。
【００５３】
図５に示すように、アクセスログ取得システムは、参照要求に応じて情報を配信するホスト系オンラインシステム２０Ａと、情報参照の際のアクセスログを記録するセンタサーバ４０とを含む。また、ホスト系オンラインシステム２０Ａとセンタサーバ４０とは、インターネット等の通信ネットワークを介して接続される。
【００５４】
本実施の形態では、ホスト系オンラインシステム２０Ａは、ユーザが用いる各入力端末からの要求に応じて、データベースから各種情報を抽出する。そして、ホスト系オンラインシステム２０Ａは、抽出した情報を通信ネットワークを介して入力端末に配信する。また、ホスト系オンラインシステム２０Ａは、参照情報配信の際のアクセスログを生成し、磁気テープ装置（データベース）に所定期間（例えば、１年間）蓄積する。また、ホスト系オンラインシステム２０Ａは、生成したアクセスログを、通信ネットワークを介してセンタサーバ４０に転送する。そして、センタサーバ４０は、転送されたアクセスログをデータベースに所定期間（例えば、１年間）蓄積する。
【００５５】
ホスト系オンラインシステム２０Ａは、具体的には、プログラムに従って動作するワークステーションサーバやパーソナルコンピュータ等の情報処理装置、及び磁気ディスク装置や光ディスク装置、磁気テープ装置等のデータベース装置によって実現される。ホスト系オンラインシステム２０Ａは、図５に示すように、オンラインＵＡＰ履歴取得システム２５、ログ取得モジュール２１Ａ、ログ編集処理手段２３Ａ、ＭＴ出力処理手段２６、ファイル転送処理手段２７、磁気テープ装置２８及び個人情報データベース３０Ａを含む。
【００５６】
個人情報データベース３０Ａは、具体的には、磁気ディスク装置や光ディスク装置等のデータベース装置によって実現される。個人情報データベース３０Ａは、顧客の顧客名や電話番号等の個人情報を含む各種情報（例えば、営業情報）を予め蓄積する。
【００５７】
オンラインＵＡＰ履歴取得システム２５は、具体的には、プログラムに従って動作する情報処理装置のＣＰＵ及びネットワークインタフェース部によって実現される。オンラインＵＡＰ履歴取得システム２５は、ユーザの入力端末からの要求に応じて、個人情報データベース３０Ａから情報を抽出する機能を備える。また、オンラインＵＡＰ履歴取得システム２５は、抽出した情報を、通信ネットワークを介して入力端末に送信する機能を備える。また、オンラインＵＡＰ履歴取得システム２５は、参照情報配信の際に、参照情報に関する履歴情報の取得を指示する機能を備える。
【００５８】
また、ホスト系オンラインシステム２０Ａを実現する情報処理装置のＣＰＵは、ログ取得モジュール２１Ａに従って処理を実行することによって、参照情報配信の際の履歴情報としてジャーナルを生成する機能を備える。この場合、ホスト系オンラインシステム２０Ａは、第１の実施の形態で示したログ取得モジュール２１を用いてジャーナルデータ２２を生成する処理と同様の処理に従って、ジャーナルを生成する。
【００５９】
ログ編集処理手段２３Ａは、具体的には、プログラムに従って動作する情報処理装置のＣＰＵによって実現される。ログ編集処理手段２３Ａは、ログ取得モジュール２１Ａを用いて生成したジャーナルに基づいて、アクセスログを生成する機能を備える。この場合、ログ編集処理手段２３Ａは、第１の実施の形態で示したアクセスログ生成プログラム２３を用いてアクセスログ２４を生成する処理と同様の処理に従って、アクセスログを生成する。
【００６０】
ＭＴ出力処理手段２６は、具体的には、プログラムに従って動作する情報処理装置のＣＰＵ及び入出力インタフェース部によって実現される。ＭＴ出力処理手段２６は、ログ編集処理手段２３Ａが生成したアクセスログを磁気テープ装置２８に記憶させる機能を備える。また、磁気テープ装置２８は、ＭＴ出力処理手段２６の指示に従って、参照情報配信の際のアクセスログを蓄積する。
【００６１】
ファイル転送処理手段２７は、具体的には、プログラムに従って動作する情報処理装置のＣＰＵ及びネットワークインタフェース部によって実現される。ファイル転送処理手段２７は、ログ編集処理手段２３Ａが生成したアクセスログを、通信ネットワークを介してセンタサーバ４０に転送（送信）する機能を備える。
【００６２】
センタサーバ４０は、具体的には、プログラムに従って動作するワークステーションサーバやパーソナルコンピュータ等の情報処理装置によって実現される。センタサーバ４０は、図５に示すように、ログ情報を蓄積するログデータベース４１を備える。センタサーバ４０は、アクセスログを通信ネットワークを介してホスト系オンラインシステム２０Ａから受信し、ログデータベース４１に蓄積する機能を備える。なお、例えば、センタサーバ４０は、ホスト系オンラインシステム２０Ａが蓄積する各情報を、所定期間毎に通信ネットワークを介してバックアップするバックアップ機能を備えていてもよい。
【００６３】
［実施の形態３］
次に、本発明の第３の実施の形態を図面を参照して説明する。図６は、アクセスログ取得システムの更に他の構成例を示すブロック図である。図６に示すように、アクセスログ取得システムは、参照要求に応じて営業情報を配信する営業情報配信サーバ５０と、ホスト系オンラインシステム２０Ｂと、センタサーバ４０Ｂとを含む。また、営業情報配信サーバ５０、ホスト系オンラインシステム２０Ｂ及びセンタサーバ４０Ｂは、インターネット等の通信ネットワークを介して接続される。
【００６４】
第２の実施の形態では、ホスト系オンラインシステムが情報配信を行うとともにアクセスログを生成する場合を説明した。本実施の形態では、情報参照要求に応じて営業情報を入力端末に配信する処理と、営業情報配信の際のアクセスログを生成する処理とを、別々のサーバ（又はシステム）が行う点で、第２の実施の形態と異なる。
【００６５】
営業情報配信サーバ５０は、具体的には、プログラムに従って動作するワークステーションサーバやパーソナルコンピュータ等の情報処理装置によって実現される。営業情報配信サーバ５０は、図６に示すように、オンラインＵＡＰ履歴取得システム５５、ログ取得モジュール５１、ファイル転送手段５７及び個人情報データベース３０Ｂを含む。なお、図６では、１つの営業情報配信サーバ５０を示しているが、アクセスログ取得システムは、複数の営業情報配信サーバ５０を含んでもよい。
【００６６】
個人情報データベース３０Ｂは、具体的には、磁気ディスク装置や光ディスク装置等のデータベース装置によって実現される。個人情報データベース３０Ｂは、顧客の顧客名や電話番号等の個人情報を含む各種営業情報を予め蓄積する。
【００６７】
オンラインＵＡＰ履歴取得システム５５は、具体的には、プログラムに従って動作する情報処理装置のＣＰＵ及びネットワークインタフェース部によって実現される。オンラインＵＡＰ履歴取得システム５５は、ユーザの入力端末からの要求に応じて、個人情報データベース３０Ｂから営業情報を抽出する機能を備える。また、オンラインＵＡＰ履歴取得システム５５は、抽出した営業情報を、通信ネットワークを介して入力端末に送信する機能を備える。また、オンラインＵＡＰ履歴取得システム５５は、営業情報配信の際に、配信された営業情報に関する履歴情報の取得を指示する機能を備える。
【００６８】
また、営業情報配信サーバ５０を実現する情報処理装置のＣＰＵは、ログ取得モジュール５１に従って処理を実行することによって、営業情報配信の際の履歴情報としてジャーナルを生成する機能を備える。この場合、営業情報配信サーバ５０は、第１の実施の形態で示したログ取得モジュール２１を用いてジャーナルデータ２２を生成する処理と同様の処理に従って、ジャーナルを生成する。
【００６９】
ファイル転送手段５７は、具体的には、プログラムに従って動作する情報処理装置のＣＰＵ及びネットワークインタフェース部によって実現される。ファイル転送手段５７は、生成したジャーナルを、通信ネットワークを介してホスト系オンラインシステム２０Ｂに転送（送信）する機能を備える。
【００７０】
ホスト系オンラインシステム２０Ｂは、具体的には、プログラムに従って動作するワークステーションサーバやパーソナルコンピュータ等の情報処理装置、及び磁気テープ装置等のデータベース装置によって実現される。ホスト系オンラインシステム２０Ｂは、図６に示すように、ログ編集処理手段２３Ｂ、ＭＴ出力処理手段２６Ｂ、ファイル転送処理手段２７Ｂ及び磁気テープ装置２８Ｂを含む。
【００７１】
ログ編集処理手段２３Ｂは、具体的には、プログラムに従って動作する情報処理装置のＣＰＵによって実現される。ログ編集処理手段２３Ｂは、営業情報配信サーバ５０から受信したジャーナルに基づいて、アクセスログを生成する機能を備える。この場合、ログ編集処理手段２３Ｂは、第１の実施の形態で示したアクセスログ生成プログラム２３を用いてアクセスログ２４を生成する処理と同様の処理に従って、アクセスログを生成する。
【００７２】
ＭＴ出力処理手段２６Ｂは、具体的には、プログラムに従って動作する情報処理装置のＣＰＵ及び入出力インタフェース部によって実現される。ＭＴ出力処理手段２６Ｂは、ログ編集処理手段２３Ｂが生成したアクセスログを磁気テープ装置２８Ｂに記憶させる機能を備える。また、磁気テープ装置２８Ｂは、ＭＴ出力処理手段２６Ｂの指示に従って、営業情報配信の際のアクセスログを蓄積する。
【００７３】
ファイル転送処理手段２７Ｂは、具体的には、プログラムに従って動作する情報処理装置のＣＰＵ及びネットワークインタフェース部によって実現される。ファイル転送処理手段２７Ｂは、ログ編集処理手段２３Ｂが生成したアクセスログを、通信ネットワークを介してセンタサーバ４０Ｂに転送（送信）する機能を備える。
【００７４】
センタサーバ４０Ｂは、具体的には、プログラムに従って動作するワークステーションサーバやパーソナルコンピュータ等の情報処理装置によって実現される。センタサーバ４０Ｂは、図６に示すように、ログ情報を蓄積するログデータベース４１Ｂを備える。センタサーバ４０Ｂは、アクセスログを通信ネットワークを介してホスト系オンラインシステム２０Ｂから受信し、ログデータベース４１Ｂに蓄積する機能を備える。
【００７５】
［実施の形態４］
次に、本発明の第４の実施の形態を図面を参照して説明する。図７は、アクセスログ取得システムの更に他の構成例を示すブロック図である。図７に示すように、アクセスログ取得システムは、参照要求に応じてオープンファイルを配信するＯＡサーバ２０Ｃと、オープンファイル参照の際のアクセスログを記録するセンタサーバ４０Ｃとを含む。また、オープンファイルデータベース３０Ｃとセンタサーバ４０Ｃとは、インターネット等の通信ネットワークを介して接続される。
【００７６】
ＯＡサーバ２０Ｃは、具体的には、プログラムに従って動作するワークステーションサーバやパーソナルコンピュータ等の情報処理装置によって実現される。ＯＡサーバ２０Ｃは、図７に示すように、情報検索システム２５Ｃ及びオープンファイルデータベース３０Ｃを含む。なお、図７では、１つのＯＡサーバ２０Ｃを示しているが、アクセスログ取得システムは、複数のＯＡサーバ２０Ｃを含んでもよい。
【００７７】
オープンファイルデータベース３０Ｃは、具体的には、磁気ディスク装置や光ディスク装置等のデータベース装置によって実現される。オープンファイルデータベース３０Ｃは、オープンファイルデータベース３０Ｃがネットワークを介して公開する各種オープンファイルを予め蓄積する。
【００７８】
情報検索システム２５Ｃは、具体的には、プログラムに従って動作する情報処理装置のＣＰＵ及びネットワークインタフェース部によって実現される。情報検索システム２５Ｃは、ユーザの入力端末からの検索要求に応じて、オープンファイルデータベース３０Ｃが蓄積するオープンファイルを検索する機能を備える。
【００７９】
また、ＯＡサーバ２０Ｃを実現する情報処理装置のＣＰＵは、ログ取得モジュール２１Ｃに従って処理を実行することによって、オープンファイル検索の際の履歴情報としてジャーナルを生成する。この場合、ＯＡサーバ２０Ｃは、第１の実施の形態で示したログ取得モジュール２１を用いてジャーナルデータ２２を生成する処理と同様の処理に従って、ジャーナルを生成する。
【００８０】
ファイル転送処理手段２７Ｃは、具体的には、プログラムに従って動作する情報処理装置のＣＰＵ及びネットワークインタフェース部によって実現される。ファイル転送処理手段２７Ｃは、生成したジャーナルを、通信ネットワークを介してセンタサーバ４０Ｃに転送（送信）する機能を備える。
【００８１】
センタサーバ４０Ｃは、具体的には、プログラムに従って動作するワークステーションサーバやパーソナルコンピュータ等の情報処理装置によって実現される。センタサーバ４０Ｃは、図７に示すように、情報検索システム４５Ｃ、データウェアハウス４２、ログ取得手段４３及びログデータベース４１Ｃを含む。
【００８２】
データウェアハウス４２は、具体的には、磁気ディスク装置や光ディスク装置等のデータベース装置によって実現される。データウェアハウス４２は、センタサーバ４０Ｃが各種情報源（例えば、データベースサーバ）から、通信ネットワークを介して収集した情報を予め蓄積する。
【００８３】
情報検索システム４５Ｃは、具体的には、プログラムに従って動作する情報処理装置のＣＰＵ及びネットワークインタフェース部によって実現される。情報検索システム４５Ｃは、ユーザの入力端末からの検索要求に応じて、データウェアハウス４２が蓄積する各種情報を検索する機能を備える。
【００８４】
また、情報検索システム４５Ｃは、情報検索の際の履歴情報としてジャーナルを生成する機能を備える。この場合、情報検索システム４５Ｃは、第１の実施の形態で示したログ取得モジュール２１を用いてジャーナルデータ２２を生成する処理と同様の処理に従って、ジャーナルを生成する。
【００８５】
ログ取得手段４３は、具体的には、プログラムに従って動作する情報処理装置のＣＰＵによって実現される。ログ取得手段４３は、ＯＡサーバ２０Ｃから受信したジャーナルに基づいて、アクセスログを生成する機能を備える。また、ログ取得手段４３は、情報検索システム４５Ｃが生成したジャーナルに基づいて、アクセスログを生成する機能を備える。この場合、ログ取得手段４３は、第１の実施の形態で示したアクセスログ生成プログラム２３を用いてアクセスログ２４を生成する処理と同様の処理に従って、アクセスログを生成する。また、ログ取得手段４３は、生成したアクセスログを、ログデータベース４１Ｃに記憶させる機能を備える。
【００８６】
ログデータベース４１Ｃは、具体的には、磁気ディスク装置や光ディスク装置等のデータベース装置によって実現される。ログデータベース４１Ｃは、ログ取得手段４３が生成したアクセスログを所定期間（例えば、１年間）蓄積する。
【産業上の利用可能性】
【００８７】
本発明は、情報検索や情報配信を行うシステムにおいて、情報検索又は情報配信の際のアクセスログを蓄積する用途に適用できる。また、本発明は、個人情報の漏洩が発生した場合に、蓄積したアクセスログに基づいて、情報の漏洩内容や漏洩場所等の追跡調査を行う用途に適用できる。
【図面の簡単な説明】
【００８８】
【図１】本発明によるアクセスログ取得システムの構成の一例を示すブロック図である。
【図２】入力端末から情報参照要求された場合に、アクセス情報をリンクさせたジャーナルデータを生成し、アクセスログを生成する処理の一例を示す流れ図である。
【図３】ホストコンピュータが生成するジャーナルデータの例を示す説明図である。
【図４】ホストコンピュータが生成するアクセスログの例を示す説明図である。
【図５】アクセスログ取得システムの他の構成例を示すブロック図である。
【図６】アクセスログ取得システムの更に他の構成例を示すブロック図である。
【図７】アクセスログ取得システムの更に他の構成例を示すブロック図である。
【符号の説明】
【００８９】
１０  入力端末
２０  ホストコンピュータ
２１  ログ取得モジュール
２２  ジャーナルデータ
２３  アクセスログ生成プログラム
２４  アクセスログ
【図１】
2007065859.tif 000003
【図２】
2007065859.tif 000004
【図３】
2007065859.tif 000005
【図４】
2007065859.tif 000006
【図５】
2007065859.tif 000007
【図６】
2007065859.tif 000008
【図７】
2007065859.tif 000009